Podtech/llm-jp-corpus-v4-ja_patent huggingface dataset:
(57)【要約】      （修正有）【課題】粘着メモフィルムが曲がったりせず、長時間で被粘着物に貼られることができる粘着メモフィルムを提供する。【解決手段】紙材１１、プラスチックフィルム１２、粘着剤１３を備えてなる粘着メモフィルム１０であり、該紙材は、プラスチックフィルムを完全に張り合わせることになり、プラスチックフィルムの他方の表面は、部分面積または全面積に粘着剤で塗布する。出来上がった粘着メモフィルムを数枚重ねると、一定の数量を持つ粘着メモフィルムになり、数回使用可能になる。【選択図】図１
0003170946.tif 000002
【実用新案登録請求の範囲】
【請求項１】
書くために用いられる紙材、
紙材の片面に完全に貼り合わせているプラスチックフィルム、及び
プラスチックフィルムと紙材を張り合わせた他方の片面に塗布される粘着剤を備えてなるものであることを特徴とする粘着メモフィルム。
【請求項２】
プラスチックフィルムの表面は、部分面積に粘着剤で塗布されていることを特徴とする請求項１に記載の粘着メモフィルム。
【請求項３】
プラスチックフィルムの表面は、全面積に粘着剤で塗布されていることを特徴とする請求項１に記載の粘着メモフィルム。
【請求項４】
請求項１に記載の一枚の粘着メモフィルムを数枚重ねてなるものが含まれていることを特徴とする粘着メモフィルム。
【考案の詳細な説明】
【技術分野】
【０００１】
本考案は、メモ用紙の構造改良に関し、特に粘着メモフィルムに関する。
【背景技術】
【０００２】
従来のメモ用紙は、粘着剤を紙材の表面のみに塗布し、一枚のメモ用紙材を数枚も重ね、一体化してなるメモ用紙セットであり、それを剥がしているとき、剥がす力で、紙材の内部繊維を壊すことになるが、紙材の繊維を高倍率の拡大鏡で見ると、爪楊枝に見えるが、剥がす力で、その繊維が破壊され、まがったりしてしまう。
【０００３】
メモ用紙を剥がして、被粘着物に貼り付けるとき、繊維が破壊されたので、メモ用紙がまがったりして、粘着剤の粘着性も影響され、被粘着物からずれて、最後に被粘着面から取れてしまうのである。
【０００４】
従来のメモ用紙が使用上、存在する欠点を鑑みて、本考案の発明者は、アイデアを凝らし、その設計、開発を行い、ようやく実用性のある“粘着メモフィルム”を発明し、社会の皆さまに役立たせるものとして使われるように期待している。
【考案の開示】
【考案が解決しようとする課題】
【０００５】
本考案は、メモ用紙を剥がして使うとき、それが曲がったりせず、または使用上、曲がったりして被粘着面から取れないようにするため功效粘着メモフィルムを提供することを目的とする。
【課題を解決するための手段】
【０００６】
上述した目的を達成させるために、本考案の技術手段として、紙材、プラスチックフィルム及粘着剤と備えてなる粘着メモフィルムを提供するが、該紙材は、プラスチックフィルムを完全に張り合わせることになり、プラスチックフィルムの他方の表面は、部分面積または全面積に粘着剤で塗布して、プラスチックフィルムの片面の粘着剤は粘着固定に、他方の片面の紙材は書くために用いられているが、これにより、完全なる一枚の粘着メモフィルムになるが、粘着メモフィルムを数枚重ねて一体化させるようにすると、数回使用可能な粘着メモフィルムセットになるが、一枚の粘着メモフィルムを剥して使用するとき、紙材とプラスチックフィルムを張り合わせているから、紙材が力を受けて、纖維が多少毀損されて曲がったりすることになるが、プラスチックフィルムの柔軟力が残りの紙材の応力が大きいので、粘着メモフィルムが曲がったりせず、長時間で被粘着物に貼られることになる。
【０００７】
本考案の技術内容及びその他の目的と特徴は、次の図面の詳しい実施例の説明を合わせて、より深く具体的に理解される。
【図面の簡単な説明】
【０００８】
【図１】本考案の好適な実施例の粘着メモフィルムの構造分解図。
【図２】本考案の好適な実施例の粘着メモフィルムの構造外観図。
【図３】本考案の好適な実施例の粘着メモフィルムの構造断面図。
【図４】本考案の好適な実施例の粘着メモフィルムを数枚重ねているイメージ。
【考案を実施するための形態】
【０００９】
図１に示すのは、本考案の好適な実施例の粘着メモフィルムの構造分解図で、紙材１１、プラスチックフィルム１２と粘着剤１３を備えてなる一枚の粘着メモフィルム１０である。
【００１０】
実施の際、まず、プラスチックフィルム１２と紙材１１を張り合わせて、それから、粘着剤１３をプラスチックフィルム１２の他方の表面に塗布するが、それにより、新しい粘着メモフィルム１０が構成される。
【００１１】
図２は、本考案の好適な実施例の粘着メモフィルムの構造外観図で、紙材１１、プラスチックフィルム１２と粘着剤１３を、上述した実施方法により行えば、完全なる粘着メモフィルム１０になる。
【００１２】
図３に示すのは、本考案の好適な実施例の粘着メモフィルムの構造断面図で、図示のように、該粘着メモフィルム１０は、紙材１１とプラスチックフィルム１２からなる複合層の形態であり、プラスチックフィルム１２を中心とし、上に紙材１１を張り合わせ、下に粘着剤１３が塗布されることになるが、プラスチックフィルム１２自身は繊維組織がなく、応力が破壊される状況がなく、表面の紙材１１に応力が残されるが、その応力はプラスチックフィルム１２の柔軟力よりずっと小さくいものとなり、粘着メモフィルム１０が剥がされ、いずれかの表面に貼られたとき、曲がったりせず、長時間で被粘着物に貼られることになる。
【００１３】
図４に示すのは、本考案の好適な実施例の粘着メモフィルムを数枚重ねて一体化したイメージで、一枚の粘着メモフィルム１０を数枚重ねて一体にすると、数回剥がしても使用可能な完全なる粘着メモフィルムセットになるが、それで、使用者が多様に利用できることになる。
【００１４】
上述した内容をまとめると、本考案の粘着メモフィルムは構造設計上、確かにとてもよい産業上の利用価値、実用価値があるもので、優れたオリジナルな設計なので、法律により、実用新案登録出願を行うわけである。
【００１５】
上述した詳しい説明は、本考案の実行可能な実施例に関する具体的な説明であり、これらの実施例を以って、本考案の実用新案登録請求範囲を制限してはならず、本考案のコンセプトや考えに基づいて、これと同等な効果の実施や改造を行っても、すべて本考案の実用新案登録請求範囲に含まれるものとする。
【符号の説明】
【００１６】
１０  粘着メモフィルム
１１  紙材
１２  プラスチックフィルム
１３  粘着剤
【図１】
0003170946.tif 000003
【図２】
0003170946.tif 000004
【図３】
0003170946.tif 000005
【図４】
0003170946.tif 000006
(57)【要約】      （修正有）【課題】骨盤の歪みを解消し、健康な身体と正常な骨格を維持する為の骨盤矯正ボードを提供する。【解決手段】人が肩幅ぐらいで乗れる適当な大きさの乗り板１（以下、ボードと称する）の下面の重心部に脚部２を設け、両端部に傾動角度を調整するストッパー部３を設ける。これにより、脚部を支点として左右にボードが傾動する。人がボードに乗り左右の下肢を交互にに動かすと、同時に左右の腸骨（骨盤）も連動して上下動が起こり、仙腸関節、腰椎、に刺激を与え、骨盤の歪みを矯正する。【選択図】図１
0003170137.tif 000002
【実用新案登録請求の範囲】
【請求項１】
人が乗ることができる適当な大きさの乗り板（以後、ボードと称する）の上面はフラットであり、ボード下面重心部に脚部を設け、脚部を支点としてボードが左右に傾動し、腸骨（骨盤）に上下動が起こり、骨盤を矯正する骨盤矯正ボード。
【請求項２】
前記、左右両端部に傾動域（範囲）を調整できるストッパーを備え、ストッパーの高さは０ｍｍから脚部長の範囲内であることを特徴とした請求項１に記載の骨盤矯正ボード。
【請求項３】
前記、脚部の形状、高さ、数は制限しない請求項１又は２に記載の骨盤矯正ボード。
【請求項４】
前記、ボード上面に凸凹や突起物を設け、滑り止め効果と足の裏のツボを刺激し、血行を良くすることができることを特徴とした請求項１又は２又は３に記載の骨盤矯正ボード。
【考案の詳細な説明】
【技術分野】
【０００１】
本考案は、傾動するボードに乗り、骨盤の歪みを矯正する骨盤矯正ボードに関する。  
【背景技術】
【０００２】
従来の骨盤の歪みの矯正具は、骨盤矯正ベルトや骨盤矯正ガードル等があり、骨盤矯正するためには相当強い力で締め付ける必要があり、老人や女性には困難であり、装着するベルトやコルセットの幅及び装着する部位により、身体に違和感を与え、内臓が圧迫され窮屈に感じ、身体の動きが抑制され股関節の可動域が狭くなるなど、日常生活に支障をきたす（特許文献１、２参照）。また、大掛かりな骨盤矯正装置等は、設置場所の確保が困難であり、その使用方法も簡易でないものが多く、費用も高い（特許文献３、４参照）。
【０００３】
骨盤の歪みを矯正する方法として、整体師やマッサージ師に掛かるが、一時的に歪みは直るが骨盤を支えている筋肉、すなわち腹筋、背筋、大腿四頭筋等が元の歪みに戻す。そのため１回の治療では完治せず通院するので費用も嵩む。
【先行技術文献】
【特許文献】
【０００４】
【特許文献１】特開２０１１−９２７４９
【特許文献２】特開２０１１−９９１６９
【特許文献３】特開２００９−３９４７９
【特許文献４】特開２００９−１８３３５１
【考案の概要】
【考案が解決しようとする課題】
【０００５】
本考案における骨盤矯正ボードは、特許文献１並びに特許文献２で開示した従来の身に着けて装着する骨盤矯正具ではなく、腰痛を和らげたり、患部を包み込んで保護したりするものではなく、骨盤の矯正を目的とした骨盤矯正ボードである。
【０００６】
本考案は、特許文献３並びに特許文献４で開示した従来の大掛かりな骨盤矯正装置とは違い、持ち運びが容易であり、場所を選ばず、使用方法は簡易に、短時間で骨盤の歪みを矯正することを目的とした骨盤矯正ボードである。
【課題を解決するための手段】
【０００７】
上記目的を達成する本考案の骨盤矯正ボードは、上面はフラットであり、下面は重心部に脚部を設け、脚部を支点としてシーソー上に左右に傾動することにより骨盤を上下動させ、仙腸関節、腰椎に刺激を与える骨盤矯正ボードである。
【０００８】
骨盤矯正ボードの裏面の左右両端部にストッパーを設け、ボードの傾動域を調整可能とし、骨盤の歪み、腰の痛み、年齢等に応じて、確実、安全に可動できるようにしたことを特徴とする。
【０００９】
床面から足を乗せるボード上面の高さ調整は、ボード裏面に設置された脚部の長さを変えることにより可能とし、乗降の際の不便さが解消され、老若男女すべての人が簡易に使用できることを特徴とする。
【考案の効果】
【００１０】
この骨盤矯正ボードは脚部を支点にシーソー上に左右に傾動する。その上に人が乗り、左右の下肢を交互に動かすと、左右の腸骨（骨盤）が下肢の動きに連動し上下運動する。詳しくは、右足が下がると右側腸骨も連動して下がり、左足が上がると左側腸骨も連動して押し上げられる。その腸骨の上下運動により、仙腸関節、腰椎に刺激を与え骨盤の歪みを矯正することができた。
【００１１】
骨盤矯正ボードは、複雑な構成はないので簡素化でき、故障もなく、安価である。さらに操作も簡易である。
【００１２】
骨盤矯正ボードに乗りシーソー上に左右に傾動する時、倒れないように身体のバランスを取る必要があり、全身のバランス機能も高める効果も同時に得られ、さらに骨盤を支えているインナーマッスル（深層筋肉）、即ち、大腰筋、腸骨筋を鍛えることができる。
【００１３】
骨盤矯正ボード上面に凸凹や突起物を設けることにより足の裏のツボを刺激し、血行を良くすることにより健康増進が図られる。
【図面の簡単な説明】
【００１４】
【図１】本考案の実施形態を示す骨盤矯正ボードの上面斜視図
【図２】図１の裏面斜視図
【考案を実施するための形態】
【００１５】
本考案の具体的な実施の形態を図にして説明する。図１、図２は本発明の骨盤矯正ボードを示す斜視図であり、１はボード本体、２は脚部、３はストッパー部を示す。
【００１６】
ボード本体１、脚部２、ストッパー部３は容易に変形しない木、合板、硬質の樹脂などから構成することができる。これらの材料から成る板を組み合わせて内部が空洞になっていてもよい。この場合補強材を設けることが好ましい。
【００１７】
ボード本体１の厚みに制限はない。縦横サイズは大人が肩幅ぐらいに乗れ、足がボード本体１からはみ出さない程度が好ましい。
【００１８】
脚部２の設置数は１脚以上から構成でき、高さについては制限しない。円柱形状が好ましいがその限りではない。脚部２は床との接地面はフラット、縁はぼうず面加工（Ｒ加工）が最良の形態である。
【００１９】
ストッパー部３は骨盤矯正ボードの傾動域（範囲）を調整することができ、ストッパー部３の厚みは、０ｍｍ以上、脚部長程度までが最良の形態である。
【産業上の利用可能性】
【００２０】
本考案は、腰痛、肩こり等の原因となる骨盤の歪みを矯正しながら、骨盤を支えているインナーマッスル（深層筋肉）、即ち、大腰筋、腸骨筋を鍛えることができる骨盤矯正ボードであり、腰痛に悩む国民に受け入れられることは間違いなく、その産業上の利用価値は顕著なものがある。
【符号の説明】
【００２１】
１  ボード本体
２  脚部
３  ストッパー部
【図１】
0003170137.tif 000003
【図２】
0003170137.tif 000004
(57)【要約】      （修正有）【課題】料理を皿に盛り付ける際に、オタマから汁がたれて食器や周囲を汚すことなく盛り付けができ衛生的で、かつ使い勝手のよいオタマを提供する。【解決手段】オタマの撥水、親水加工や形状変更、凹凸、突起、網目、溝、膨らみなどを形にし、料理をよそう際にスープ等の液状のものが垂れるのを遅くして料理を盛る際、垂れず食器に盛り付けることができる特徴を持つ。【選択図】図１
0003170153.tif 000002
【実用新案登録請求の範囲】
【請求項１】
本考案は通常のおたまとしての使用ができ、おたまから料理の汁が垂れにくくするため、おたまの形状を変え、おたまとしての形状が球体、円だけではなく、三角、四角、多角形、多角錐、多角柱、多角錐台形状、多角柱台形などの形をしていることを特徴に持ちおたまをつたう汁の流速を遅くするまたは垂れなくすることで周囲や皿へ汁が付着することを防ぐ特徴を持つ
【請求項２】
おたまとしての形状が異なるだけではなく碗部の底面あるいは全面に凹凸、突起、溝、膨らみ等があり最大限の時間、おたまにつたう料理の汁が垂れてこない特徴を持つ
【請求項３】
椀部に形成する凹凸、突起、溝、ざらざら形状、つぶつぶ形状、膨らみの形状は円、楕円、四角、多角、星形、四角錐台形状、四角柱形状、三角錐台形状、三角柱台形状、円錐台形状、円柱台形状、多角錐形状、多角柱形状、多角錐台形状、多角柱台形状、楕円錐台形状、半球形状、半楕円球状、星型正多角柱、星型正多角形錐、星型正多角、正多角柱、正多角錐、穿孔多面体形状、平行多面体形状、菱形多面体形状、円錐形状、三角錐形状、正多角反柱、星型正多角反柱などに形成された特徴を持つ
【請求項４】
オタマに上記の請求項１，２，３の形状加工ともに撥水、超撥水、親水、超親水などの表面加工を施した特徴を持ちおたまが汚れにくく、垂れにくい特徴を持つ
【考案の詳細な説明】
【技術分野】
【０００１】本考案は従来のおたまの形状を変え、または撥水、親水加工などによりすくいあげた液体を垂れにくくする特徴を持ち、しいてはオタマの構造、構成に関わる。
【背景技術】
【０００２】従来のおたまでは料理におたまを使い、まぜる、よそうなどをするため形状などが広く統一され採用されている。いっぽう近年においては、類似商品との差別化および需要者の購買意欲を喚起するためにいろいろな工夫を施すことが重要になっている。
【先行技術文献】
【特許文献】
【０００３】
【特許文献１】なし
【特許文献２】なし
【非特許文献】
【非特許文献】なし
【０００４】
【非特許文献１】なし
【非特許文献２】なし
【考案の概要】
【０００５】
【考案が解決しようとする課題】［おたまで料理を盛り付ける際に食器や周囲に汁等が垂れ、汚してしまう］
【課題を解決するための手段】
【０００６】［おたま全体の形状または碗部に凹凸、突起、溝、膨らみ、撥水、親水加工をつけることにより垂れるのを防止する特徴を持つ］
【考案の効果】
【０００７】［本考案はおたまを垂れにくい構造、加工にすることにより周囲や食器を汚さずきれいに盛り付けられ、かつ衛生的である。そして、こぼれた際の手間や時間を削減できることから、商品の付加価値を高め購買意欲を喚起する。
【図面の簡単な説明】
【０００８】
【図１】（ａ）（ｂ）は、本願考案の具体例の一例であり、撥水または親水加工がされたおり椀部の▲１▼に溝があり、▲２▼の部分に（ｃ）、（ｄ）、（ｅ）のような形状をしている図である。
【図２】（ｆ）、（ｇ）は、本願考案の具体例の一例であり、撥水または親水加工されており、一般のおたまと形状が異なる。そのことから料理を盛り付ける際におたまの底部に汁等のたまりが発生しない形状を表している図である
【考案を実施するための形態】
【０００９】本考案はデザイン性と請求項を考慮し、最も目的とする効果を出せる形状とする。また使用方法は従来と変わらずに使用ができ、製造方法はおたまの金型の形状変更または表面加工を行う
【実施例】
【００１０】本考案は家庭、食品関係会社、料理店等において料理を盛り付ける際に周囲や食器を汚さないために使用することを特徴に持つ
【産業上の利用可能性】
【００１１】本考案の請求項に基づく上で、食品関係会社、料理店にておたまとして、または同様の効果をあらわす物に利用可能である
【符号の説明】
【００１２】▲１▼・・・・・・・溝、くぼみ
▲２▼・・・・・・・凹凸、
▲３▼・・・・・・・▲２▼の拡大図
▲４▼・・・・・・・▲３▼の断面図と凹凸が半球であった場合の図
▲５▼・・・・・・・おたまの形状が円錐の図
【図１】
0003170153.tif 000003
【図２】
0003170153.tif 000004
【手続補正書】
【提出日】平成23年6月14日(2011.6.14)
【手続補正１】
【補正対象書類名】実用新案登録請求の範囲
【補正対象項目名】全文
【補正方法】変更
【補正の内容】
【実用新案登録請求の範囲】
【請求項１】
おたまから料理の汁が垂れにくくするためにおたまの椀部の形状に「溝」または、「凹凸」をつけることによりおたまをつたう汁の流速を遅くし、また垂れなくすることで周囲や皿へ汁が付着することを防ぐ特徴を持つおたま
【請求項２】
椀部表面に形成する前記凹凸または前記溝の形状は円、楕円、四角、多角、星形、円錐、多角錐、四角錐、四角錐台形状、四角柱形状、三角錐台形状、三角柱台形状、円錐台形状、円柱台形状、多角錐形状、多角柱形状、多角錐台形状、多角柱台形状、楕円錐台形状、半球形状、半楕円球状、星型正多角柱、星型正多角形錐、星型正多角、正多角柱、正多角錐、穿孔多面体形状、平行多面体形状、菱形多面体形状、円錐形状、三角錐形状、正多角反柱、星型正多角反柱のいずれかに形成することにより垂れにくい特徴を持つ請求項１に記載のおたま
【請求項３】
前記椀部を撥水、超撥水、親水、超親水などの表面加工を施した特徴を持ちおたまが汚れにくく、垂れにくい特徴を持つ請求項１または２に記載のおたま
【請求項４】
前記椀部の形状は  円、楕円、四角、多角、星形、円錐、三角錐、四角錐、四角錐台形状、四角柱形状、三角錐台形状、三角柱台形状、円錐台形状、円柱台形状、多角錐形状、多角柱形状、多角錐台形状、多角柱台形状、楕円錐台形状、半球形状、半楕円球状、星型正多角柱、星型正多角形錐、星型正多角、正多角柱、正多角錐、穿孔多面体形状、平行多面体形状、菱形多面体形状、円錐形状、三角錐形状、正多角反柱、星型正多角反柱のいずれかに形成された垂れにくい特徴を持つ請求項１〜３のいずれか一項に記載のおたま
(57)【要約】      （修正有）【課題】縦書き、横書きを自由に選択でき、バランス良く文字を書くことができる仮想罫線模様つき葉書、便箋、封筒等を提供する。【解決手段】葉書や封筒等の表裏に、縦・横の等間隔の大小の模様を直線状に並べ付ける。模様の形状や色合いを様々に変化させる。【選択図】図１
0003170156.tif 000002
【実用新案登録請求の範囲】
【請求項１】
葉書や封筒等の表裏に、縦・横の等間隔の大小の模様を直線状に並べ付けることにより、住所・宛名等を書き表わす位置関係を割り出し易くして縦書き横書きの選択を容易にした。
【請求項２】
便箋の縦罫・横罫を無くして、その代りに縦・横の等間隔の大小の模様を直線状に並べ付け、縦書・横書きの文章が一冊の便箋で自由に書ける様にした。
【請求項３】
葉書・封筒・便箋等に、縦・横の等間隔の大小の模様を直線状に並べ付けることにより、文字の曲りや不揃いを抑え、より一層、文字が美しく引き立つ様にした。
【請求項４】
縦・横の等間隔の大小の模様の形状を種々変化させることが出来る様にした。
【請求項５】
縦・横の等間隔の大小の模様に様々な色合いを用いて、用途に応じて雰囲気を変えることが出来る様にした。
【請求項６】
文字を書く必要とする無地をも含み、白紙全般・和紙等では大礼の花も含む柄入りの物にも亘り、縦・横の等間隔の大小の模様を直線状に並べ熨斗は勿論のこと慶弔に用いる袋にも雰囲気に合せ彩りを添えて、喜びと悲しみの表現を、より効果的にした。
【請求項７】
画用紙に縦・横の等間隔の大小の模様を直線状に並べることにより、直線的に縦線・横線を引き易くした。
【請求項８】
画用紙に縦・横の等間隔の大小の模様を直線状に並べることに依り、構図を描き易くした。
【考案の詳細な説明】
【技術分野】
【０００１】本考案は、無罫葉書・便箋・封筒・及び画用紙等に大小の模様を直線状に付けて仮想罫線上に縦横に文字の大きさを自由に選択して更に文字の歪を抑制して、葉書・便箋・封筒・熨斗・慶弔に用いる袋等に見映えの良い美しい文章や住所・宛名を書き易くしたものである。更に画用紙に大小の模様を付けると、それ等が目印となり縦・横の線も引き易く、寸法も割り出し易く図画が非常に描き易くなり教育的指導に於ても大いに役に立つものである。
【背景技術】
【０００２】従来は、仮想罫線を目覚めさせる様な模様の描かれた葉書・便箋・封筒・熨斗・慶弔に用いる袋及び画用紙等は無かった。
【考案の概要】
【考案が解決しようとする課題】
【０００３】従来、葉書や封筒等に文章・或いは宛名等を記述する場合、文章の長さや住所・氏名の文字数を予測して全体のバランスをよく考えてレイアウトをしなければならず、書き慣れない人にとっては頭の痛い至難の技であり、尚、文字の連なりを直線的に書き表わすことは非常に困難な作業であり、書き慣れた人でさえ不可能に近いと言う問題点があった。
亦、便箋等に於ては罫線間隔が実線を用いて縦用・横用と専用化された不便さが有った。
尚、今日では文字の美しさを、より一層、引き立たせる為に目障りな為か実線で引かれた罫線を無くして紙面に線状の窪みの加工を施し罫線化したものが有るが、光線の角度、射し込み具合で殆んど見えなくなる。夜間に限らず照明の下では全く見えなくなる不便さがあった。
更に画用紙にも類似した点が有り何の目印も無く憶測でバランスそしてレイアウトを強いられると言った問題点があった。
【課題を解決する為の手段】
【０００４】葉書や封筒等に模様１と模様２を直線状に施して縦・横の罫線の仮想を容易に目覚めさせ、その仮想罫線上に文章又は、住所・氏名の文字数を予測して全体のバランスを考え縦書き横書きを自由に選択してレイアウトを容易にした。
【０００５】便箋に等間隔で縦・横に直線状に模様１と模様２を施して、それを目安として縦・横の罫線を仮想してバランスよくレイアウトが出来る様にした。
更に従来の様な罫線が妨げにならず縦書き文字も横書き文字も自由に書ける様にした。
【０００６】仮想罫線を目的とした模様１と模様２であるが、光線の角度や射し込み具合で模様が消える事の無い様にした。
【０００７】画用紙に模様１と模様２を施し、直線的に縦線・横線を引き易くすると共に構図を描き易くした。
【考案の効果】
【０００８】葉書や封筒等の様に白紙状態・無地をも含む様な物に文字を直線的に書き連ねるのは非常に難しく、模様１と模様２を施すことで縦・横の位置関係が判り易く、模様や色を変化させることで、より一層の感覚的な表現、楽しさが倍増する。と共に葉書や封筒等は勿論のこと、画用紙等に於ても、その位置関係に依り、縦・横の直線的な構図が割り出し易く、絵や図面等も描き易くなる。
便箋に於ても、一冊の便箋で、又、葉書に於ても制約を受けず縦書きにも横書きにも自在に使用することが出来る。
筆無精の解決をも測り、筆まめの一助となる。更に日本の文字文化の衰退を懸念して更なる発展を涵養することが出来る。
従来、通信のみを目的とした伝統的手法を刷新して文通の楽しさを倍増させることが出来る。
【図面の簡単な説明】
【０００９】
【図１】葉書の表面を表わした図である。
【図２】葉書の裏面を表わした図である。
【図３】封筒の表面を表わした図である。
【図４】封筒の裏面を表わした図である。
【図５】航空便として一般的に用いられる封筒の表面を表わした図である。
【図６】航空便として一般的に用いられる封筒の裏面を表わした図である。
【図７】便箋の表面を表わした図である。
【図８】画用紙の表面を表わした図である。
【符号の説明】
【００１０】１  大きな模様
２  小さな模様
【図１】
0003170156.tif 000003
【図２】
0003170156.tif 000004
【図３】
0003170156.tif 000005
【図４】
0003170156.tif 000006
【図５】
0003170156.tif 000007
【図６】
0003170156.tif 000008
【図７】
0003170156.tif 000009
【図８】
0003170156.tif 000010
【手続補正書】
【提出日】平成23年6月14日(2011.6.14)
【手続補正１】
【補正対象書類名】実用新案登録請求の範囲
【補正対象項目名】全文
【補正方法】変更
【補正の内容】
【実用新案登録請求の範囲】
【請求項１】
葉書や封筒等の表裏に、縦・横の等間隔の大小の模様を直線状に並べ付けた仮想罫線模様つき葉書、便箋、封筒、熨斗、慶弔に用いる袋、又は画用紙。
【請求項２】
前記縦・横の等間隔の大小の模様の形状を種々変化させたことを特徴とする、請求項１記載の仮想罫線模様つき葉書、便箋、封筒、熨斗、慶弔に用いる袋、又は画用紙。
【請求項３】
前記縦・横の等間隔の大小の模様に様々な色合いを用いたことを特徴とする、請求項１記載の仮想罫線模様つき葉書、便箋、封筒、熨斗、慶弔に用いる袋、又は画用紙。
【手続補正３】
【補正対象書類名】図面
【補正対象項目名】図１
【補正方法】変更
【補正の内容】
【図１】
0003170156.tif 000011
(57)【要約】      （修正有）【課題】ダイヤモンドブレード装着のウオールカッターより施工時間の短縮を図るウォールカッターを提供する。【解決手段】砥石ブレード装着のウオールソーは水処理の必要がなく施工時間の大幅短縮を図れる。又ブレードの摩耗減に対しては大口径ブレードで対処し、亀裂に対しては止金具の径の大小で対処する。【選択図】図１
0003170154.tif 000002
【実用新案登録請求の範囲】
【請求項１】
ブレード部分に砥石を使用したことを特徴とするウオールカッター。
【請求項２】
ブレード径が直径で８０ｃｍ以上であることを特徴とする請求項１に記載のウオールカッター。
【考案の詳細な説明】
【技術分野】
【０００１】本考案は、ウオールカッターに関するものである。
【背景技術】
【０００２】ダイヤモンドブレードによる作業は、金属摩擦等の対策として給水が必要である。
そのために、作業開始前の養生、作業中の汚濁防止作業後の清掃等により、作業工程が多岐にわたっている。
【考案が解決しようとする課題】
【０００３】作業工程を減らし、作業時間を短縮する。
【０００４】砥石ブレードの摩耗、及び亀裂。
【考案が解決しようとする手段】
【０００５】本工案は、ブレード部分に砥石を使用したことを特徴としたウオールカッターである。
【０００６】又、ブレード径が直径８００ｍｍ以上であることを特徴としたウオールカッターである。
【考案の効果】
【０００７】砥石ブレードによる作業では給水の必要がなく作業の養生等の手間が省け、作業工程が大幅に短縮される。
【０００８】砥石ブレードの摩耗対策としてブレードの径を大きくする。
【０００９】ブレードの径を大きくする為におこる砥石の亀裂を防ぐため、ブレードの止金具の径を大きくした。
【００１０】切断厚に合わせて止金具の径を変える。
【００１１】砥石ブレードを使用することにより工程が大幅に短縮される。
【図面の簡単な説明】
【００１２】
【図１】砥石ブレード装着ウオールカッターの図
【００１３】
【図２】ダイヤモンドブレード装着ウオールカッターの図
【考案を実施するための形態】
【００１４】ウオールカッターは装着したブレードを回転させることにより被切削物を切削するものである。
【００１５】ウオールカッターにおいては図１の如く、モーター４の回転軸にブレード本体８の中心が脱着自在に止金具９により固定される。
そして、そのブレード本体８全体がハンドル２の回転に基ずいてガイドシャフト３に案内されて上下動自在に配置される。
そして、ガイドシャフト３の下部がピニオン駆動機構７に固定され、ピニオン駆動機構７のピニオンがベースに配置されたラック６に歯合する。このベースは、壁面にアンカー等を介して固定されるものである。
【実施例１】
【００１６】実施例として下記表の効果が得られた。
低配筋  ｔ＝０．３ｍ  Ｌ＝２ｍ  ０．６ｍ２の躯体
切断時間（準備〜跡片付け）
0003170154.tif 000003
【符号の説明】［図１］
▲１▼  ブレードカバー
▲２▼  刃先制御ハンドル
▲３▼  ガイドシャフト
▲４▼  ギヤドモーター
▲５▼  集塵機
▲６▼  トラックレール
▲７▼  ピニオン駆動機構
▲８▼  砥石ブレード            φ８００
0003170154.tif 000004
［図２］
▲１▼  ブレードカバー
▲２▼  刃先制御ハンドル
▲３▼  ガイドシャフト
▲４▼  ギヤドモーター
▲５▼  給水装置
▲６▼  トラックレール
▲７▼  ピニオン駆動機構
▲８▼  ダイヤモンドブレード
▲９▼  止金具
【図１】
0003170154.tif 000005
【図２】
0003170154.tif 000006
【手続補正書】
【提出日】平成23年6月10日(2011.6.10)
【手続補正１】
【補正対象書類名】実用新案登録請求の範囲
【補正対象項目名】全文
【補正方法】変更
【補正の内容】
【実用新案登録請求の範囲】
【請求項１】
円盤のブレードの材質を砥石にしたことを特徴とするウオールカッター。
【請求項２】
ブレード径が直径で８０ｃｍ以上であることを特徴とする請求項１に記載のウオールカッター。
【手続補正２】
【補正対象書類名】明細書
【補正対象項目名】全文
【補正方法】変更
【補正の内容】
【考案の詳細な説明】
【技術分野】
【０００１】本考案は、ウオールカッターに関するものである。
【背景技術】
【０００２】ダイヤモンドブレードによる作業は、金属摩擦等の対策として給水が必要である。
そのために、作業開始前の養生、作業中の汚濁防止作業後の清掃等により、作業工程が多岐にわたっている。
【考案が解決しようとする課題】
【０００３】作業工程を減らし、作業時間を短縮する。
【０００４】砥石ブレードの摩耗、及び亀裂。
【考案が解決しようとする手段】
【０００５】本考案は、円盤のブレードの材質を砥石にしたことを特徴としたウオールカッターである。
【０００６】又、ブレード径が直径８００ｍｍ以上であることを特徴としたウオールカッターである。
【考案の効果】
【０００７】砥石のブレードによる作業では給水の必要がなく作業の養生等の手間が省け、作業工程が大幅に短縮される。
【０００８】砥石のブレードの摩耗対策としてブレードの径を大きくする。
【０００９】ブレードの径を大きくする為におこる砥石の亀裂を防ぐため、ブレードの止金具の径を大きくした。
【００１０】切断厚に合わせて止金具の径を変える。
【００１１】砥石のブレードを使用することにより工程が大幅に短縮される。
【図面の簡単な説明】
【００１２】
【図１】  砥石のブレード装着ウオールカッターの図
【００１３】
【図２】  ダイヤモンドブレード装着ウオールカッターの図
【考案を実施するための形態】
【００１４】ウオールカッターは装着したブレードを回転させることにより被切削物を切削するものである。
【００１５】ウオールカッターにおいては図１の如く、モター４の回転軸にブレード本体８の中心が脱着自在に止金具９により固定される。
そして、そのブレード本体８全体がハンドル２の回転に基ずいてガイドシャフト３に案内されて上下動自在に配置される。
そして、ガイドシャフト３の下部がピニオン駆動機構７に固定され、ピニオン駆動機構７のピニオンがベースに配置されたラック６に歯合する。このベースは、壁面にアンカー等を介して固定されるものである。
【実施例１】
【００１６】実施例として下記表の効果が得られた。
低配筋  ｔ＝０．３ｍ  Ｌ＝２ｍ２  ０．６ｍ２の躯体
切断時間（準備〜跡片付け）
0003170154.tif 000007
【符号の説明】［図１］
▲１▼  ブレードカバー
▲２▼  刃先制御ハンドル
▲３▼  ガイドシャフト
▲４▼  ギヤドモーター
▲５▼  集塵機
▲６▼  トラックレール
▲７▼  ピニオン駆動機構
0003170154.tif 000008
［図２］
▲１▼  ブレードカバー
▲２▼  刃先制御ハンドル
▲３▼  ガイドシャフト
▲４▼  ギヤドモーター
▲５▼  給水装置
▲６▼  トラックレール
▲７▼  ピニオン駆動機構
▲８▼  ダイヤモンドブレード
▲９▼  止金具
(57)【要約】      （修正有）【課題】多連結式疑似餌を布のような柔らかな繊維素材で連結する事で、本物の魚の如く可能な限り静かな音で自然に駆動させ自然な誘い（アプローチ）を可能にする繊維材多連結式疑似餌を提供する。【解決手段】ルアー本体１は樹脂素材、木材、ゴム素材、天然素材などにより形成し、それぞれの部位を繊維素材でつなぎ合わせ使用上の強度を確保しかつ、疑似餌の干渉や駆動音の低減および疑似餌の動きの滑らかさを確保する。【選択図】図１
0003170160.tif 000002
【実用新案登録請求の範囲】
【請求項１】
多連結式疑似餌（ジョイントルアー）本体の連結部分を布のように柔らかな繊維素材を使用し連結しているファイバージョイントルアー（繊維素材多連結式疑似餌）。
【請求項２】
本体の連結部分を布のように柔らかな繊維素材を使用することで可能な限り多連結式疑似餌（ジョイントルアー）の駆動音を抑えたファイバージョイントルアー（繊維素材多連結式疑似餌）。
【請求項３】
本体の連結部分を布のように柔らかな繊維素材を使用することで多連結式疑似餌（ジョイントルアー）に非常に滑らかな動きを与えているファイバージョイントルアー（繊維素材多連結式疑似餌）。
【請求項４】
本体の連結部分を布のように柔らかな繊維素材を使用することで釣りに必要な強度を確保しているファイバージョイントルアー（繊維素材多連結式疑似餌）。
【請求項５】
本体は樹脂素材、木材、ゴム素材、天然素材（生物由来の物）などにより構成され、それぞれの部位を繊維素材でつなぎ合わせ使用上の強度を確保している。
【考案の詳細な説明】
【技術分野】
【０００１】本考案はファイバージョイントルアーに関する。
【背景技術】
【０００２】従来の多連結式疑似餌（ジョイントルアー）は、その連結部分が金属で結束されており、水中で駆動する際に金属音を発生させていた。【０００３】上記の理由により、釣り人は釣りの対象魚に対して自然な誘い（アプローチ）を掛けづらかった。
【先行技術文献】
【特許文献】
【非特許文献】
【考案の概要】
【考案が解決しようとする課題】
【０００４】本考案は、以上のような従来の欠点に鑑み、多連結式疑似餌（ジョイントルアー）を布のような柔らかな繊維素材で連結する事で本物の魚の如く可能な限り静かな音で駆動させ自然な誘い（アプローチ）を可能にし、今まで釣ることが出来なかった魚を釣るための集魚力と誘惑力を提供する事を目的としている。
【課題を解決するための手段】
【０００５】上記目的を達成する為、本考案では（［請求項１〜５］の構成要件）とでファイバージョイントルアー（繊維素材多連結式疑似餌）を構成している。
【考案の効果】
【０００６】以上の説明から明らかなように、本考案にあたっては次に列挙する効果が得られる。
（１）（［請求項１〜５］の構成要件）とで構成されているので、可能な限り多連結式疑似餌（ジョイントルアー）の駆動音を抑える事ができ釣果に貢献できる。【０００７】（２）（［請求項１〜５］の構成要件）とで構成されているので、多連結式疑似餌（ジョイントルアー）に非常に滑らかな動きを与え釣果に貢献できる。【０００８】（３）（［請求項１〜５］の構成要件）とで構成されているので、使用上の強度を確保し快適な使用が可能となり釣果に貢献できる。
【図面の簡単な説明】
【０００９】
【図１】本考案を実施する為の実施例１を示した平面図である。
【考案を実施するための最良の形態】
【００１０】以下、本考案の実施の形態を図に基づいて説明する。
【実施例１】
【００１１】図  は本考案ファイバージョイントルアー（繊維素材多連結式疑似餌）の実施例１の平面図であって、釣り糸に結び付けて使用した状態である。
【産業上の利用可能性】
【符号の説明】１疑似餌本体（樹脂素材、木材、ゴム素材、天然素材など）
２連結部分（布のように柔らかな繊維素材）
３釣り針
４鰭（樹脂素材、木材、ゴム素材、天然素材など）
５釣り糸
【図１】
0003170160.tif 000003
【手続補正書】
【提出日】平成23年6月16日(2011.6.16)
【手続補正１】
【補正対象書類名】実用新案登録請求の範囲
【補正対象項目名】全文
【補正方法】変更
【補正の内容】
【実用新案登録請求の範囲】
【請求項１】
複数のパーツで構成されている本体の連結部分を布のように柔らかな繊維素材を使用し連結しているファイバージョイントルアー（繊維素材多連結式疑似餌）。
【請求項２】
複数のパーツで構成される本体の連結部分を布のように柔らかな繊維素材を使用することで可能な限り多連結式疑似餌（ジョイントルアー）の駆動音を抑えたファイバージョイントルアー（繊維素材多連結式疑似餌）。
【請求項３】
本体の連結部分を布のように柔らかな繊維素材を使用することで多連結式疑似餌（ジョイントルアー）に非常に滑らかな動きを与えているファイバージョイントルアー（繊維素材多連結式疑似餌）。
【請求項４】
本体の連結部分を布のように柔らかな繊維素材を使用することで釣りに必要な強度を確保しているファイバージョイントルアー（繊維素材多連結式疑似餌）。
【請求項５】
本体は樹脂素材、木材、ゴム素材、天然素材などにより構成され、それぞれの部位を繊維素材でつなぎ合わせ使用上の強度を確保している事を特徴とする請求項１記載のファイバージョイントルアー（繊維素材多連結式疑似餌）。
(57)【要約】      （修正有）【課題】音の出る製品で高齢者の立ち上がりを未然に察知して、迅速に近づいて転倒防止が可能なメロディーコールを提供する。【解決手段】本体に音の電子部品を組込み、本体の両方に紐をつける。片方に高齢者の衣服にクリップ（洗濯バサミ）で挟む紐（３０Ｃｍ未満）を付け、もう片方に車椅子・ベッドに固定する紐（結ぶため１０Ｃｍ×１０Ｃｍ）を付ける。【選択図】図１
0003170155.tif 000002
【実用新案登録請求の範囲】
【請求項１】
考案製品は、音（メロディーコール）を出す電子部品を内臓し、通常は電流が流れないようになっている箇所に２００ｇ（約鶏卵３個の重さ）の力で引っ張ったときに外れ（抜ける）電流が流れて音（メロディーコール）が出る。
電子部品は、音量・メロディーが選択できる。
【考案の詳細な説明】
【技術分野】
【０００１】本考案は、高齢者の転倒を未然に防ぐための用具である。
【背景技術】
【０００２】特徴として、既存の福祉用具に同じような用途の商品はあるものの、センサーの機能（部品が高価）を搭載したものが多く商品の値段が高いため、経営に厳しい福祉現場では、必要な高齢者に対して多数購入ができない。
【先行技術文献】
【０００３】
【特許文献】
【特許文献】▲１▼置き引き防止ブザー  ▲２▼ちかん防止ブザー
【考案の概要】
【考案が解決しようとする課題】
【０００４】高齢者を介護している現場では、認知症の症状として不穏行為（勝手に動き回る）が多々あり、自分の下肢筋力の低下による立位・歩行ができないにもかかわらず、椅子や車椅子、ベッドより降りようとする。
その結果、転倒し骨折をしてしまい入院して手術を受けることがある。もっと危険なことは脳挫傷などで、即死亡するケースもある。
介護職員は、全員には２４時間の対応はできないため頻度の多い方には、センサーマットを設置し未然に防いでいるが、その商品は高価なため多く購入できない。
【課題を解決するための手段】
【０００５】既存の商品は高齢者が動こうとして足を付着したときセンサーが作動して、職員の手持ちの機種（ピッチ）に電波で知らせる商品であるが、考案製品は、高齢者の衣類に片方のクリップを挟み、もう一方を音の出る電子部品搭載の製品（メロディーコール）に付けて、高齢者が動いて引っ張ったときに製品から外れて音（メロディーコール）で知らせるものである。
【考案の効果】
【０００６】ベッドに寝ているときは、ベッド柵にとパジャマに設置し、車椅子に座っているときは椅子の座面と高齢者の腰部分の衣類につけて、動いたとき（立とうとしたとき）に作動（メロディーコール）して、迅速に近づき転倒防止行動がとれる。
音のセンサー部品は、▲１▼音量も調整ができる  ▲２▼メロディーが選べる  として製品に搭載し、一つのフロアーに何種類かの音があっても識別できるものにする。
高齢者には音でびっくりしないように優しいメロディーで知らせる効果がある。
音の出る電子部品は、市場に出回っている割と安価な物もある。
【図面の簡単な説明】
【０００７】
【図１】・本考案の正面図である。・本発明の使用状態を示す断面図である。
【考案を実施するための形態】
【０００８】以下、本考案の実態の形態について説明する。
（イ）、高齢者の衣類に付けるクリップは洗濯バサミ位の大きさで、紐の長さは３０Ｃｍ未満にする。それは、高齢者の首にまとわり付いたときの危険防止策である。
（ロ）、本製品は、小型で手軽に設置でき、落としても割れない樹脂製品の容器で作られる。
【符号の説明】
【０００９】１、本体  （音発生部品・電池）
２、クリップ
３、接続紐
４、本体固定（紐）
【図１】
0003170155.tif 000003
【手続補正書】
【提出日】平成23年6月15日(2011.6.15)
【手続補正１】
【補正対象書類名】実用新案登録請求の範囲
【補正対象項目名】全文
【補正方法】変更
【補正の内容】
【実用新案登録請求の範囲】
【請求項１】
本体ケース内に乾電池と音声発信機を内蔵し、前記音声発信機は当該音声発信機からケース外へ伸長する接続紐が２００ｇ位の力でひっぱった時外れてスイッチが入り、音声を発生することを特徴とするメロディーコール。
(57)【要約】      （修正有）【課題】電線ケーブルの種別・電源・負荷の内容を正確に確認できる行先表示を提供する。【解決手段】パソコンで雛形を打ち込み、あとは各ケーブルごとの確認したい項目４・６・７・９〜１３（電圧・回路・電源側・負荷側名称）を打ち込み、プリントしてから保護用にラミネート加工しケーブルに支持するものであり、また、印刷用紙を蛍光紙８にすることにより暗い場所での問題点も解決している。【選択図】図１
0003170151.tif 000002
【実用新案登録請求の範囲】
【請求項１】
パソコンで雛形を打ち込みあとは各ケーブルごとの電圧・回路・電源側・負荷側名称を打ち込みし、プリントしてから保護用にラミネート加工するもので、印刷用紙を蛍光紙にすることによって暗い所での表示の位置が容易に確認できるケーブル用の行き先表示。
【考案の詳細な説明】
【技術分野】
【０００１】  本考案は、電線ケーブルの種別・電源・負荷が容易に分かる機能を備えたケーブル用表示に関するものである。
【背景技術】
【０００２】  電線ケーブルの行き先を表示する場合、プラスチック製のネームチップに油性ペンなどでケーブルサイズ及び負荷名称を記入していた。
【考案の概要】
【考案が解決しようとする課題】
【０００３】  ペンなどで記入する方法では字の読み取りが困難な場合があり、天井裏など暗い所では表示が分からない。また、名称の項目にこれといった規定がなく確認したい項目が表示されていないことがある。
【課題を解決するための手段】
【０００４】  本考案は、パソコンで雛形を打ち込みあとは各ケーブルごとの確認したい項目（電圧・回路・電源側・負荷側名称）を打ち込みし、プリントしてから保護用にラミネート加工するものであり、また、印刷用紙を蛍光紙にすることにより暗い場所での問題点も解決している。
【考案の効果】
【０００５】  上述のように、本考案のケーブル用行き先表示はパソコンでプリントするため文字の読み取りが容易になることは勿論、確認したい項目を雛形に入れているので情報量が多くあらゆるケーブルに対応でき、しかも蛍光紙を使用することにより暗い場所での表示の位置が容易に確認できる。
【図面の簡単な説明】
【０００６】
【図１】本考案のケーブル行き先表示の表面図である。
【図２】ケーブル行き先表示の取付図面である。
【考案を実施するための形態】
【０００７】  普通紙及び蛍光紙に雛形として電圧・回路Ｎｏ・回路図を記入し、電圧種別・回路種別・ケーブル種別・発点種別・着点種別は各ケーブルごとに記入していき、プリントしラミネート加工した表示にケーブル支持用のパンチ穴を開ける。
パンチ穴に紐及びケーブルタイを通して支持する。
【実施例】
【０００８】  以下、添付図面に従って−実施例を説明する。１は普通紙及び蛍光紙でプリントしたものをラミネート加工したケーブル行き先表示本体、２は支持用のパンチ穴、８は普通紙及び蛍光紙を使用。【０００９】  ３と５の電圧と回路の文字は雛形として記入、４は電圧種別を種類ごとに記入、６は回路種別として種類ごとに記入、７の備考欄には施工会社及び施工年月日を記入、９はケーブル種別として種類ごとに記入、１０は分電盤及び配線盤の図を１１は名称を記入、１２は２次側及び負荷の図を１３は名称を記入する。【００１０】  １４は前記ケーブル行き先表示本体１を紐及びケーブルタイでケーブルに支持する。【００１１】  本考案の−実施例は、電線ケーブルの種別・電源・負荷が確認できることは勿論、上述の如き構成からなるものであるから、より確認が容易になる。
【符号の説明】
【０００１２】  １  ケーブル行き先表示本体
２  支持用のパンチ穴
３  電圧の文字を雛形として記入
４  電圧種別
５  回路の文字を雛形として記入
６  回路種別
７  備考欄
８  普通紙及び蛍光紙
９  ケーブル種別
１０  分電盤及び配電盤の図
１１  分電盤及び配電盤の名称
１２  ２次側及び負荷の図
１３  ２次側及び負荷の名称
１４  紐及びケーブルタイ
【図１】
0003170151.tif 000003
【図２】
0003170151.tif 000004
【手続補正書】
【提出日】平成23年4月20日(2011.4.20)
【手続補正１】
【補正対象書類名】実用新案登録請求の範囲
【補正対象項目名】全文
【補正方法】変更
【補正の内容】
【実用新案登録請求の範囲】
【請求項１】
・  電圧回路Ｎｏと回路図欄を有し、ラミネート加工を施しケーブル支持用のパンチ穴を有することを特徴とするケーブル用行き先表示ラベル。
【手続補正書】
【提出日】平成23年6月16日(2011.6.16)
【手続補正１】
【補正対象書類名】実用新案登録請求の範囲
【補正対象項目名】全文
【補正方法】変更
【補正の内容】
【実用新案登録請求の範囲】
【請求項１】
・  電圧、回路Ｎｏ、回路図についての欄を有し、ラミネート加工を施しケーブル支持用のパンチ穴を有することを特徴とするケーブル用行き先表示ラベル。
(57)【要約】      （修正有）【課題】微細な茶葉までも確実に捕獲し、かつ目詰まりする事がなく、茶抽出後の茶ガラを茶漉しごと破棄できるため、水道や流し台設備の無い場所においての、茶葉の交換並びに茶葉の処理を可能にする茶漉しを提供する。【解決手段】不織布を茶器の形状に沿って熱成型して椀状とし、茶器本体内部への陥落を防ぐと共に取り出すための持ち手を備えた。【選択図】図１
0003170147.tif 000002
【実用新案登録請求の範囲】
【請求項１】
熱加工によって椀状に成型された不織布と、その外周縁から一体的に突出した持ち手とで構成されることを特徴とした茶漉し。
【考案の詳細な説明】
【技術分野】
【０００１】  本考案は、茶抽出液を得るための、茶こしに関するものである。
【背景技術】
【０００２】  近年茶葉の微細化に伴って茶葉の目詰まりを防ぐため様々な茶器の改良がなされてきた。排湯口より離れた位置に、茶こし網を設置する事により、面積を広めに確保したもの（特許文献１参照、特許文献２参照）、茶器の胴部内側にぐるりと網を取り付けたものなど様々な工夫が見られる。【０００３】  前記は、茶器の一部として組み込まれた茶こしであるが、独立した持ち手のない茶こしを、茶器の内側に設置して使用する茶器（特許文献３参照）もある。
【先行技術文献】
【特許文献１】  特開２００４−２３０１０１
【特許文献２】  特開２００４−１１３５４３
【特許文献３】  実開平７−３０９２６
【考案の開示】
【考案が解決しようとする課題】
【０００４】  茶器に組み込まれた茶こし、あるいは分離できる茶こしにおいても、メッシュ網部分の面積を広く確保する事で、茶葉の集中による目詰まりはある程度防げるものの、陶製や金属網製の茶こしでは、微細な茶葉の流出は免れない。【０００５】  茶器に組み込まれた茶こしはもちろん、分離できる金属製あるいはナイロン製茶こしにおいても、茶抽出後茶葉の完全なる除去には、流水が必要とされる。そのために水道蛇口のみならず流し台設備が必須であり、その設備の無い場所での茶葉の利用が制限される。その上別部品としての茶こしは、先端部がすぼまった形状であるだけでなく、茶器口径の寸法に合わせてはあるが、多くの場合底まで届かない。そのため茶葉は茶こしに阻まれて湯の中で開ききることができず、茶葉本来の味が浸出することは容易ではない。【０００６】  茶器からの茶葉の出し入れを、簡便化するための袋では、袋ごと茶葉を処分できる利点はあるものの、予め茶葉を計量の上詰める手間が求められる。また袋に入れた茶葉は注湯によって十分にひろがることが出来ないために、茶は充分には抽出されない。
【課題を解決するための手段】
【０００７】  熱加工によって椀状に成型された不織布の紙茶漉しは、微細な茶葉の流出を妨げる密度を持ちながら、継ぎ目も無いためにその全体が茶濾しとしての機能を有する。またその外周縁から一体的に突出した持ち手によって、安全に、容易に、茶ガラごと取り出せる。
【考案の効果】
【０００８】  熱加工によって椀状に成型された不織布の茶漉しは、従来の網茶こしと比べて繊維の重なりによる密度が高いため、微細な茶葉の流出を防ぎつつも、全方向に目詰まりすることなく茶液は浸出されるため、茶を淹れると言う行為は遅延無く進行されるばかりか、湯呑茶碗の底に沈殿する微細な茶葉が減少すると同時に、雑味の無いすっきりした味が創出されることが確認された。【０００９】  不織布素材で成る紙茶漉しは白色で茶葉の状態が良く確認できるため、適時を逃さず茶を湯のみに注ぐ事ができる上に、再度抽出可能かの判断も容易である。袋に入れた茶葉の使用時に比べて濃い茶が抽出されることも確認され、ゆったりした空間で茶を抽出する茶器本来の持ち味が発揮される。【００１０】  持ち手によって、安全に、容易に茶ガラごと取り出せて処分できるために、例えば寝室や事務室、あるいは戸外など水道設備の無いあらゆる場所において、茶葉で愉しむ喫茶を可能とした。【００１１】  不織布素材で成る紙茶漉しは、茶の抽出後茶ガラごと処分できるため、茶こしの洗浄もむろん不要である。その上、微細な茶葉を茶器内部に流失しないばかりか、灰汁をある程度吸収して茶器への灰汁付着を軽減するために茶器の洗浄をも一層簡便にした。
【図面の簡単な説明】
【００１２】
【図１】不織布から成る紙茶漉し
【図２】茶器に紙茶漉しを設置した図
【考案を実施するための形態】
【００１３】  茶器本体に、不織布で成る紙茶漉しを設置してから茶葉を投入し、注湯する。時間と茶葉の開き具合を見計らって抽出液を残らず注ぎ出して後、２煎目のための注湯を開始する。
【実施例】
【００１４】  専用の茶器でなくとも、不織布で成る紙茶漉しが収納可能な湯飲み茶碗、または、茶碗などの容器に紙茶漉しを設置しても茶の抽出は十分におこなえる。
【図１】
0003170147.tif 000003
【図２】
0003170147.tif 000004